(57)【要約】【課題】均一な塗布力を得ることができるとともに、容器の大型化を避けつつ組付け作業性に優れた繰出容器を提供する。【解決手段】繰出容器１０は、棒状内容物Ｃを保持するとともに外周面に係合突起２８が形成された昇降筒１２と、昇降筒１２を取り囲む外筒部３４を有し、外筒部３４の内周面に係合突起２８と係合して昇降筒１２との相対回動に伴って該昇降筒１２を昇降させる螺旋溝３０が形成された回動部材１４と、を備える。昇降筒１２は、その周壁から部分的に切り離されて昇降筒１２の軸心Ｏ方向へ弾性変形が可能な切片３２を有し、係合突起２８は切片３２上に配置されている。【選択図】図２
2018086167.tif 000002
【特許請求の範囲】
【請求項１】
棒状内容物を繰り出し可能に収容する繰出容器であって、
棒状内容物を保持するとともに外周面に係合突起が形成された昇降筒と、
前記昇降筒を取り囲む外筒部を有し、外筒部の内周面に前記係合突起と係合して前記昇降筒との相対回動に伴って該昇降筒を昇降させる螺旋溝が形成された回動部材と、を備え、
前記昇降筒は、その周壁から部分的に切り離されて昇降筒の軸心方向へ弾性変形が可能な切片を有し、
前記係合突起は前記切片上に配置されていることを特徴とする繰出容器。
【請求項２】
前記切片は、径方向へも弾性変形可能に構成されていることを特徴とする請求項１に記載の繰出容器。
【請求項３】
前記切片は、昇降筒の周壁に片持ち支持されており、
前記係合突起は前記切片の自由端部側に配置されていることを特徴とする請求項１または２に記載の繰出容器。
【請求項４】
前記係合突起は、前記昇降筒の軸心を挟んだ対向２箇所に設けられていることを特徴とする請求項１から３までのいずれか一項に記載の繰出容器。
【発明の詳細な説明】
【技術分野】
【０００１】
この発明は、棒状内容物を繰り出し可能に収容する繰出容器に関する。
【背景技術】
【０００２】
この種の繰出容器としては、従来、棒状内容物を保持するとともに外周面に係合突起が形成された昇降筒と、この昇降筒を取り囲む外筒部を有し該外筒部の内周面に係合突起と係合する螺旋溝が形成された回動部材とからなり、使用者が回動部材を廻すと昇降筒が係合突起と共に螺旋溝によって昇降し、それに伴い棒状内容物が繰り出されあるいは引き込まれる構造のものがある。
【０００３】
このような繰出容器では、昇降筒の係合突起が回動部材の螺旋溝に連結され、塗布時に棒状内容物に加わる圧力のすべてが係合突起を介して螺旋溝によって受け止められるので、使用者が棒状内容物を塗布対象物に押し付けた圧力がそのまま塗布圧となる。したがって、塗布圧が安定せず、均一に塗布するのが難しいという問題があった。また、塗布圧が強すぎた場合、棒状内容物を破損させてしまう危険性もある。
【０００４】
このような問題に対応するため、下記特許文献１には、同文献図２に関連して、棒状化粧料を収嵌保持し繰り出し機構により昇降動される昇降筒を、棒状化粧料を保持する保持部と、繰り出し機構に螺合する螺合部とに分割し、これらの保持部と螺合部を複数の弾性片で連結してクッション部を構成し、これにより、棒状化粧料に過大な塗布圧が加わった場合にクッション部にその塗布圧を緩衝させ、棒状化粧料の破損を防止することが提案されている。
【０００５】
また、特許文献１には、同文献図３に関連して、昇降筒を保持部と螺合部とで構成し、螺合部の外径を保持部の外径よりも小径に構成するとともに、螺合部の下端外側壁に上下にたわみ変形可能な鍔部を設けてクッション部を形成することが提案されている。
【０００６】
さらに、特許文献１には、同文献図４に関連して、棒状化粧料を収嵌保持し繰り出し機構により昇降動される昇降筒に、繰り出し機構の螺合溝に螺合する螺合片を突設するとともに、この螺合片を先端より縦に２分割してクッション部材を構成することが提案されている。
【先行技術文献】
【特許文献】
【０００７】
【特許文献１】実開平５−９５４１３号公報
【発明の概要】
【発明が解決しようとする課題】
【０００８】
しかしながら、特許文献１の図２および図３に示されるような弾性片や小径部を設ける構成では、その構造が複雑化し、組み付けが困難となる懸念がある。また、同文献図４に示されるような、螺合片を縦に２分割してクッション部材を構成するものでは、十分なクッション効果を得るのに螺合片の寸法を大きくする必要がある。それにより、容器の径方向寸法等が大きくなって、容器が大型になってしまうという問題がある。また、螺合片を大きくすると昇降筒を組み付ける際に螺合片が他の部品と干渉するため、組み付けが困難になる。あるいは干渉を避けるため構造上の制限が生じる。
【０００９】
この発明は、上記従来技術の問題を解消し、均一な塗布力を得ることができるとともに、容器の大型化を避けつつ組付け作業性に優れた繰出容器を提供することを目的とする。
【課題を解決するための手段】
【００１０】
この発明は、上記課題を解決するためになされたものであり、この発明の繰出容器は、棒状内容物を繰り出し可能に収容する繰出容器であって、棒状内容物を保持するとともに外周面に係合突起が形成された昇降筒と、昇降筒を取り囲む外筒部を有し、外筒部の内周面に係合突起と係合して昇降筒との相対回動に伴って該昇降筒を昇降させる螺旋溝が形成された回動部材と、を備え、昇降筒は、その周壁から部分的に切り離されて昇降筒の軸心方向へ弾性変形が可能な切片を有し、係合突起は切片上に配置されているものである。
【００１１】
なお、この発明の繰出容器にあっては、切片は、径方向へも弾性変形可能に構成されていることが好ましい。
【００１２】
また、この発明の繰出容器にあっては、切片は、昇降筒の周壁に片持ち支持されており、係合突起は切片の自由端部側に配置されていることが好ましい。
【００１３】
さらに。この発明の繰出容器にあっては、係合突起は、昇降筒の軸心を挟んだ対向２箇所に設けられていることが好ましい。
【発明の効果】
【００１４】
この発明の繰出容器において、棒状内容物の使用に際して昇降筒に対して回動部材を回転させると、昇降筒の係合突起が外筒部の内周面に形成された螺旋溝内を摺動し、昇降筒は上昇する。これにより、棒状内容物の突出量が調整され、棒状内容物を塗布対象物に押し当てることで内容物を塗布することができる。
【００１５】
このとき、切片に軸心方向への弾性変形が生じ、棒状内容物の塗布圧をその弾性変形の復元力で発生させることができるので、均一な塗布力を得ることができる。また、棒状内容物に過大な押圧力や衝撃が加わった際には、切片がこれを緩衝するため、棒状内容物の損傷、折損を防止することもできる。
【００１６】
このように、切片を軸心方向へ弾性変形させる構成であり係合突起の寸法を大きくする必要がないので、容器の径方向寸法等が増大するのを防止することができるとともに、昇降筒の良好な組付け性を得ることができる。
【００１７】
したがって、この発明によれば、均一な塗布力を得ることができるとともに、容器の大型化を避けることができ、さらに組付け作業性の良好な繰出容器を提供することができる。
【図面の簡単な説明】
【００１８】
【図１】図１は、この発明の一実施形態に係る繰出容器を半分断面で示す側面図である。
【図２】図２は、図１の繰出容器における昇降筒を一部断面で示す側面図である。
【図３】図３は、図１の繰出容器におけるガイド筒を半分断面で示す側面図である。
【図４】図４は、棒状内容物の塗布に際して、回動部材を回動させて棒状内容物を上昇端位置（上死点）まで繰り出した状態を半分断面で示す側面図である。
【発明を実施するための形態】
【００１９】
以下、この発明の実施の形態を図面に基づき詳細に説明する。ここで、図１は、この発明の一実施形態に係る繰出容器を半分断面で示す側面図である。
【００２０】
図１に示すように、繰出容器１０は、内部に収容された棒状内容物Ｃを繰り出して使用するものであり、棒状内容物Ｃとしては、口紅やリップクリームなどの化粧料、薬剤、糊などが挙げられるが、これらに限定されない。
【００２１】
繰出容器１０は主として、各々合成樹脂材料等から形成することできる、昇降筒１２と、回動部材１４と、ガイド筒１６と、オーバーキャップ１８とを備えている。これらの昇降筒１２、回動部材１４、ガイド筒１６およびオーバーキャップ１８の各軸心は共通軸上に位置しており、以下では、この共通軸を軸線Ｏといい、軸線Ｏに沿ったオーバーキャップ１８側を上側、その反対側を下側という。また、軸線Ｏに直交する方向を径方向といい、軸線Ｏ周りに周回する方向を周方向という。
【００２２】
昇降筒１２は、図２に示すように円筒形をなし、その内周面の高さ方向中央位置よりも上端寄りの位置には、棒状内容物Ｃを下から支持する受け皿２０が一体的に形成されている。受け皿２０は中央に開口部２２が形成されており、この開口部２２を通じて昇降筒１２の下方から内容物を充填することができる。また、受け皿２０には、上方へ向けて拡径し棒状内容物Ｃ内に埋没されることにより棒状内容物Ｃの脱落等を防止する錐状の係止片２４が立設されている。また、昇降筒１２の上端部の内周面には、棒状内容物Ｃを軸線Ｏ方向に係止する凸部２６が設けられている。
【００２３】
昇降筒１２の下端部外周面には軸線Ｏを挟んで対向する２箇所に円柱ピン状の係合突起２８が形成されている。係合突起２８は後述するように、回動部材１４の螺旋溝３０に係合し、回動部材１４の、昇降筒１２に対する相対回動時に螺旋溝３０内を相対的に摺動して昇降筒１２を昇降させるものである。係合突起２８は、昇降筒１２の周壁からスリット３１によって部分的に切り離されて軸線Ｏ方向への弾性変形が可能な切片３２上に配置されている。したがって、図２中仮想線の矢印で示すように、昇降筒１２に下方へ向けて力が加わると、切片３２は同図中仮想線で示すように軸線Ｏ方向に沿って上方へ弾性変形するが、螺旋溝３０内の係合突起２８の位置は変わらないため、その弾性変形分だけ昇降筒１２が下方に変位することになる。図示例では、切片３２は、横向きＵ字状のスリット３１によって舌状に形作られるとともに昇降筒１２の周壁に片持ち支持されており、その自由端部側に係合突起２８が配置されている。これにより、切片３２を軸線Ｏ方向だけでなく径方向にも確実に弾性変形するよう構成することができる。
【００２４】
回動部材１４は、棒状内容物Ｃの繰り出しあるいは引き込みに際して使用者が指等で把持して回動させる部材であり、図１に示すように主として、昇降筒１２を取り囲む外筒部３４と、昇降筒１２の内側に位置しその外周面上を昇降筒１２が摺動する内筒３６とからなる。この実施形態では、外筒部３４は容器１０の外観を形作る化粧筒３８と、化粧筒３８の内側に嵌入され化粧筒３８に対して回動不能とされた中間筒４０とからなる。中間筒４０の内周面には、昇降筒１２の下端部に形成された上述の係合突起２８と係合し、昇降筒１２との相対回動に伴って該昇降筒１２を昇降させる２条の螺旋溝３０が形成されている。このように、この実施形態では外筒部３４は、化粧筒３８および中間筒４０からなるが、中間筒４０を省略するとともに化粧筒３８の内周面に直接螺旋溝３０を形成して外筒部３４を構成するようにしてもよい。化粧筒３８および内筒３６は共に底壁４２に立設された一体物として製造される。底壁４２には、昇降筒１２の受け皿２０に形成された開口部２２に連通する開口部４４が形成されており、これらの開口部２２,４４を通じて受け皿２０上に内容物を充填して棒状内容物Ｃを設けることができる。底壁４２に形成した開口部４４は、内容物の充填後にラベル等を底壁４２に貼付等することにより閉鎖することができる。
【００２５】
ガイド筒１６は、使用者が回動部材１４を回動した際に昇降筒１２の共廻りを防止し、昇降筒１２の軸線Ｏに沿った昇降を確実にするものであり、具体的には、図１および図３に示すように円筒形をなし、昇降筒１２の下降端位置（図１参照）においてその下側部分１６ａが昇降筒１２と中間筒４０との間の環状空間に遊挿され、その上側部分１６ｂが受け皿２０よりも上方に突出して受け皿２０との間に棒状内容物Ｃの収容空間を形成している。また、ガイド筒１６の下側部分（中間筒４０の螺旋溝３０が形成された範囲に対向する部分）１６ａには、昇降筒１２の係合突起２８に対応した位置に軸線Ｏに沿って延びる２本のガイド孔４６が形成されている。ガイド孔４６はガイド筒１６の下端縁に達しており、これによりガイド筒１６への昇降筒１２の挿入組付けを可能としている。また、ガイド孔４６の下端部には、ガイド孔４６の幅を狭めて係合突起２８の抜け出しを阻止する一対の凸部４８が形成されている。
【００２６】
オーバーキャップ１８は、図１に示すように、化粧筒３８の上端開口に該化粧筒３８と一緒に回転するように嵌装された２ピース構造の封止リング体５０の上端部に着脱自在に外嵌されている。オーバーキャップ１８は、有頂筒状に形成され、ガイド筒１６の上側部分１６ｂを覆っている。
【００２７】
次に、上述した繰出容器１０の作用について説明する。図１に示す状態では、昇降筒１２は下降端位置（下死点）に位置し、棒状内容物Ｃはガイド筒１６の上側部分１６ｂ内に完全に引き込まれている。
【００２８】
棒状内容物Ｃの使用に際しては、まず、オーバーキャップ１８を取り外した後、例えばガイド筒１６の上側部分１６ｂと化粧筒３８とを各別に把持して相対的に回転させる。これにより、昇降筒１２の係合突起２８がガイド孔４６内および螺旋溝３０内を摺動し、図４に示すように昇降筒１２がガイド筒１６内を上昇する。これにより、棒状内容物Ｃのガイド筒１６からの突出量が調整され、棒状内容物Ｃを塗布対象物に押し当てることで内容物Ｃを塗布することができる。
【００２９】
このとき、図２中仮想線で示したように、切片３２に軸線Ｏ方向への弾性変形が生じ、棒状内容物Ｃの塗布圧をその弾性変形の復元力で発生させることができるので、均一な塗布力を得ることができる。また、棒状内容物Ｃに過大な押圧力や衝撃が加わった際には、切片３２がこれを緩衝するため、棒状内容物Ｃの損傷、折損を防止することもできる。
【００３０】
さらに、この実施形態の繰出容器１０によれば、切片３２を軸線Ｏ方向へ弾性変形させる構成であって係合突起２８の寸法を大きくする必要がなく、昇降筒１２の良好な組付け性を得ることができる。
【００３１】
さらに、この実施形態の繰出容器１０によれば、切片３２を舌状の片持ち支持構造としたことから、切片３２は軸線Ｏ方向へより弾性変形し易くなり、均一な塗布圧をより確実に得ることができるのに加えて、切片３２は径方向に対してもより弾性変形し易くなり、昇降筒１２の組付け性をより一層向上させることができる。すなわち、切片３２が径方向へ弾性変形可能であると、例えば昇降筒１２を回動部材１４の内筒３６と外筒部３４との間に組み付ける際、係合突起２８を径方向内側へ変位させて係合突起２８を螺旋溝３０内に容易に入れ込むことができる。
【００３２】
以上、図示例に基づきこの発明を説明したが、この発明は上述した実施形態に限定されず、種々の変更が可能である。例えば、上述した実施形態では、片持ち支持された舌状の切片３２を一例として示したが、昇降筒１２の周壁に係合突起２８を上下に挟み込むように２本の開口またはスリットを形成して両持ち支持構造の切片３２を構成してよい（図示省略）。この場合、所期の弾性特性を得るため切片３２の幅を局所的に狭くしてもよい。
【００３３】
また、上記実施形態では、係合突起２８を２つ設けるとともに螺旋溝３０を２条形成すると説明したが、係合突起２８の数はこれに限定されず３つ以上設けてもよく、これに対応して螺旋溝３０を３条以上形成してもよい。
【産業上の利用可能性】
【００３４】
この発明により、均一な塗布力を得ることができるとともに、容器の大型化を避けることができ、さらに組付け作業性の良好な繰出容器を提供することが可能となった。
【符号の説明】
【００３５】
１０  繰出容器
１２  昇降筒
１４  回動部材
１６  ガイド筒
１８  オーバーキャップ
２０  受け皿
２２  開口部
２４  係止片
２６  凸部
２８  係合突起
３０  螺旋溝
３１  スリット
３２  切片
３４  外筒部
３６  内筒
３８  化粧筒
４０  中間筒
４２  底壁
４４  開口部
４６  ガイド孔
４８  凸部
５０  封止リング体
Ｃ  棒状内容物
【図１】
2018086167.tif 000003
【図２】
2018086167.tif 000004
【図３】
2018086167.tif 000005
【図４】
2018086167.tif 000006